(57)【要約】【課題】トイレブース１において、仕切りパネル２を天井部Ｈまで長くすると共に、ドア上枠９と天井部Ｈまでに間の間隙をパネル体１０で塞ぐにあたり、外観を損なうことなく取り付けるようにする。【解決手段】仕切りパネル左右先端部２ａに、仕切りパネル表裏面板２ｂに外嵌するよう突出した一対の脚片３ｂと、一対の外側片３ｃとを備えた基礎エッジ材３を天井部Ｈにまで至るようにして取り付けると共に、ドア体７の左右先端部に対向する左右のエッジ材５、６とドア上枠左右両端部９ｅとを、左右両基礎エッジ材の外側片３ｃ間に内嵌する状態で基礎エッジ材３に取り付け、さらにドア上枠９よりも上側の基礎エッジ材３には、パネル体取り付け用の補助エッジ材１１の仕切りパネル側端縁部が外側片間に内嵌するようにして取り付けられている。【選択図】図５
2015034413.tif 000002
【特許請求の範囲】
【請求項１】
隣接する仕切りパネルで仕切られ、仕切りパネルの左右先端部間に形成される出入り口をドア体で開閉するように構成されたトイレブースにおいて、前記仕切りパネルを天井部に至るまで長いものとし、ドア体の上方に配設のドア上枠と天井部とのあいだの隙間を閉鎖するためのパネル体を取り付けるにあたり、前記仕切りパネルの左右先端部に、該左右先端部に対向する本体部と、仕切りパネルの表裏面板に外嵌するようパネル厚方向に間隙を存して突出した一対の脚片と、パネル厚方向に間隙を存して出入り口側に向くよう突出した一対の外側片とを備えた基礎エッジ材を天井部にまで至るようにして取り付けると共に、ドア体の左右先端部に対向する左右のエッジ材とドア上枠の左右両端部とを、左右両基礎エッジ材の外側片間に内嵌する状態で基礎エッジ材に取り付け、さらにドア上枠よりも上側の基礎エッジ材には、パネル体取り付け用の補助エッジ材の仕切りパネル側端縁部が外側片間に内嵌するようにして取り付けられていることを特徴とするトイレブースのパネル体取り付け構造。
【請求項２】
補助エッジ材の出入り口側端縁部が、基礎エッジ材外側片の突出端と面一か外側片突出端よりも仕切りパネル側になるよう内嵌していることを特徴とする請求項１記載のトイレブースのパネル体取り付け構造。
【発明の詳細な説明】
【技術分野】
【０００１】
本発明は、駅や学校等の建物に建て付けられるトイレブースのパネル体取り付け構造の技術分野に関するものである。
【背景技術】
【０００２】
一般に、このようなトイレブースは、複数のトイレが一連状に連結したものとして建て付けられる場合が多いが、このようなトイレブースは、壁から突出した一対のＴ字形またはＬ字形をした仕切りパネルで仕切られた空間に便具を配置するとともに、両仕切りパネルの先端間に形成される出入り口にドアを開閉自在に設けて構成されるが、このようなトイレブース用のドアは、ドア上端縁と天井面とのあいだに隙間を設け、これにより閉塞感がないように設けられたものがある。ところが近時、この隙間からの覗きや盗撮をするというような不心得者の発生が問題化されてきており、そこでこの隙間にパネル体を取り付けて塞ぐようにしたものが試みられている（特許文献１、２参照）。
【先行技術文献】
【特許文献】
【０００３】
【特許文献１】実開平１−１２９３６４号公報
【特許文献２】特開平８−１５８７４８号公報
【発明の概要】
【発明が解決しようとする課題】
【０００４】
しかしながら前記特許文献１のものは、天井まで延びた仕切りパネルと天井およびドア上端縁とのあいだにパネル体を取り付ける旨の記載はあるが、具体的にどのようにして取り付けるかについての具体的説明はない。
これに対し特許文献２のものは、隣接するトイレブース同士の仕切りパネルを天井にまで至る上下方向に長いものとし、そして仕切りパネルに組み込まれる戸先側及び戸尻側のドア体用エッジ材の上端部から天井に至るようパネル体用エッジ材を組み付け、このパネル体用エッジ材にパネル体を組込むようにしていたが、このようにすると、パネル体用エッジ材が別途必要になって部品点数が増加するだけでなく、ドア体用エッジ材とパネル体用エッジ材とのあいだの当接位置が連続的にならずに不自然さが残り、外観を損なうという問題がある。さらにトイレブース用のドア体においては、例えば開き戸、折畳み戸等、各種仕様があり、このような各種仕様のドア体に用いられるドア体用エッジ材は仕様ごとに異なるものがあり、このように異なるドア体用エッジ材を用いながら仕切りパネルの端部に連続性を持たせることが要求され、ここに本発明の解決すべき課題がある。
【課題を解決するための手段】
【０００５】
本発明は、上記の如き実情に鑑みこれらの課題を解決することを目的として創作されたものであって、請求項１の発明は、隣接する仕切りパネルで仕切られ、仕切りパネルの左右先端部間に形成される出入り口をドア体で開閉するように構成されたトイレブースにおいて、前記仕切りパネルを天井部に至るまで長いものとし、ドア体の上方に配設のドア上枠と天井部とのあいだの隙間を閉鎖するためのパネル体を取り付けるにあたり、前記仕切りパネルの左右先端部に、該左右先端部に対向する本体部と、仕切りパネルの表裏面板に外嵌するようパネル厚方向に間隙を存して突出した一対の脚片と、パネル厚方向に間隙を存して出入り口側に向くよう突出した一対の外側片とを備えた基礎エッジ材を天井部にまで至るようにして取り付けると共に、ドア体の左右先端部に対向する左右のエッジ材とドア上枠の左右両端部とを、左右両基礎エッジ材の外側片間に内嵌する状態で基礎エッジ材に取り付け、さらにドア上枠よりも上側の基礎エッジ材には、パネル体取り付け用の補助エッジ材の仕切りパネル側端縁部が外側片間に内嵌するようにして取り付けられていることを特徴とするトイレブースのパネル体取り付け構造である。
請求項２の発明は、補助エッジ材の出入り口側端縁部が、基礎エッジ材外側片の突出端と面一か外側片突出端よりも仕切りパネル側になるよう内嵌していることを特徴とする請求項１記載のトイレブースのパネル体取り付け構造である。
【発明の効果】
【０００６】
請求項１の発明とすることにより、基礎エッジ材が天井部にまで至る構造になるから連続性がでることになり、しかも該基礎エッジ材には、ドア上枠の左右両端部とパネル体を取り付けるための補助エッジ材の少なくとも一部が内嵌することになって、ドア上枠の左右両端部や補助エッジ材の仕切りパネル側端縁部が視認されてしまうことがなく、連続性が発揮でき外観に優れたものとなる。
請求項２の発明とすることにより、パネル体を取り付けるための補助エッジ材が基礎エッジ材外側片の突出端から突出することがないことになって一段と外観が優れたものとなる。
【図面の簡単な説明】
【０００７】
【図１】トイレブースの正面図である。
【図２】出入り口部の横断面図である。
【図３】パネル体を組み込む前のドア上枠部位の縦断面図である。
【図４】パネル体を組み込む前のドア上枠部位の正面図である。
【図５】パネル体を組み込んだ状態のパネル体部位の横断面図である。
【図６】パネル体を組み込みだ状態のパネル体部位の縦断面図である。
【図７】パネル体を組み込みだ状態のドア上枠部位の正面図である。
【図８】基礎エッジ材の側面図である。
【図９】第二の実施の形態のパネル体部分の縦断面図である。
【図１０】第二の実施の形態のパネル体部分の横断面図である。
【図１１】第三の実施の形態である折り戸式トイレブースの正面図である。
【図１２】第三の実施の形態のドア体部位の横断面図である。
【図１３】第三の実施の形態のドア上枠部位の縦断面図である。
【発明を実施するための形態】
【０００８】
以下、本発明の実施の形態について、図面に基づいて説明する。図面において１はトイレブースであって、該トイレブース１の隣接するもの同士は、躯体壁面から突出した平面視Ｔ字形の仕切りパネル２によって仕切り形成されているが、仕切りパネル２は天井部にまで至る上下方向に長いものになっており、そして隣接する仕切りパネル２の先端縁２ａ間にはトイレブース１の出入り口１ａが形成されるが、仕切りパネル２の先端縁２ａには基礎エッジ材３が床部から天井部に至るようにして組み込まれている。
【０００９】
基礎エッジ材３は、仕切りパネル２の板厚よりも僅かに幅広で、仕切りパネル２の先端縁２ａに当接状に対向する板状の本体部３ａと、該本体部３ａのパネル板厚方向両端縁よりも僅かに内側に位置ずれした位置から仕切りパネル２の表裏面２ｂに沿う状態で突出していて仕切りパネル２の表裏面２ｂに外嵌する脚片３ｂと、本体部３ａのパネル板厚方向両端縁から脚片３ｂとは反対側の出入り口１ａ側に向けて突出する外側片３ｃと、該外側片３ｃに対して背低状態ではあるがパネル厚方向内側に間隙を存して対向する状態で本体部３ａから突出する内側片３ｄと、一対が互いに間隙を存して対向しかつ内側片３ｄとも間隙を存する状態でかつ内側片３ｄと同じ背低状態で、本体部３ａのパネル厚方向中間位置から出入り口１ａ方向に突出する一対の凸状部３ｅとを備えて構成されている。
そして基礎エッジ材３は、脚片部３ｂを仕切りパネル先端縁２ａに外嵌組み込みする状態で凸状部３ｅ間に形成される本体部３ａからビス４を螺入することで仕切りパネル２に取り付けられるようになっている。
【００１０】
一方、５は吊元側エッジ材（吊元側ドア縦枠）であって、該吊元側エッジ材５は、パネル厚方向の幅が基礎エッジ材外側片３ｃの対向間隔に設定されていて、基礎エッジ材外側片３ｃ間に嵌入して基礎エッジ材内側片３ｄの先端、凸状部３ｅの先端に板面が当接する板状の本体部５ａと、該本体部５ａのパネル厚方向両端縁から基礎エッジ材３側に向けて突出して内外側片３ｄ、３ｃの対向間に嵌入する脚片５ｂと、本体部５ａのパネル厚方向両端縁から出入り口１ａ側に向けて突出する一対の突出片５ｃと、該突出片５ｃの先端からパネル厚方向内側に向けて折曲し、折曲先端側ほど本体部５ａ側に向けて傾斜する傾斜片５ｄとによって形成されており、該傾斜片５ｄの先端間は互いに離間した開口になっている。
そして吊元側エッジ材５は、脚片５ｂを基礎エッジ材側内外側片３ｄ、３ｃの対向間に嵌入した状態で本体部５ａから螺入したビス（図示せず）を介して基礎エッジ材３に組み込み固定されるようになっている。
【００１１】
また戸先側エッジ材（戸先側ドア縦枠）６は、ブース外側半部が円弧状で内側半部が直線状になった本体部６ａと、該本体部６ａのパネル厚方向両端部から基礎エッジ材３側に向けて突出し、基礎エッジ材内外側片３ｄ、３ｃの対向間に嵌入する脚片６ｂ、６ｃおよび基礎エッジ材凸状部３ｅに当接する脚片６ｄ、６ｅと、前記脚片６ｂ、６ｃからパネル厚方向内側に向けて突出していて基礎エッジ材内側片３ｄの先端に当接する当接片６ｆを備えて構成されている。
そして戸先側エッジ材６は、脚片６ｂ、６ｃが基礎エッジ材内外側片３ｄ、３ｃの対向間に嵌入する状態で本体部６ａから螺入したビス（図示せず）を介して基礎エッジ材３に組み込み固定されるようになっている。
【００１２】
７は前記出入り口１ａに開閉自在に設けられるドア体であって、該ドア体７は、表裏面板７ａ、コア材７ｂを備えて構成されるが、ドア体７の吊元側、戸先側端縁部にはそれぞれ縦框８が組込まれるが、該縦框８は、吊元側エッジ材傾斜片５ｄまたは戸先側エッジ材本体部６ａに対向する円弧状をした本体部８ａと、該本体部８ａからドア体７側に向けて突出して表裏面板７ａに外嵌する外側脚片８ｂと、ドア体７の左右端面のパネル厚方向中間部に当接する内側脚片８ｃ、外側脚片８ｂからパネル厚方向内側に向けて突出してドア体７の左右端面のパネル厚方向外端部に当接する当接片８ｄとを備えて構成されている。
そして縦框８は、本体部８ａから螺入したビス４ａを介してドア体７に固定されるようになっている。
【００１３】
９はドア上枠（笠木）であって、該ドア上枠９は、四角筒状をした本体部９ａと、該本体部９ａの上面のパネル厚方向両端部から上方に突出した突出片９ｂとによって構成されているが、ドア上枠９の幅は、基礎エッジ材両外側片３ｃの内寸法に対応した寸法になっており、これによってドア上枠９は、吊元側、戸先側エッジ材５、６の切断された上端縁に上側から当接する状態で両端部９ｃが基礎エッジ材両外側片３ｃ内に内嵌するようにして組み込まれる構成になっている。そして該組み込まれたドア枠９はＬ字形をした取り付け金具１６を介して基礎エッジ材３側に取り付け固定されるようになっている。
そして前記ドア体７は、ドア上枠９の底面と吊元側エッジ材本体部５ａの内面とに亘って固定した逆Ｌ字形をした取付け金具７ｄに設けられる中心吊り用の支軸７ｃにより開閉揺動自在に設けられている。
尚、7ｅは施錠用のラッチ、7ｆはラッチ受けである。
【００１４】
この状態では、図３、４に示すようにドア上枠９と天井部Ｈとのあいだにはパネル体は組み込まれておらず、そこで次に、このものにパネル体（欄間板）１０を組み込む手順について説明する。
この場合に、左右の基礎エッジ材３とドア上枠９には同じ第一の補助エッジ材（本発明の補助エッジ材に相当する。）１１を用いて組み込み、天井部Ｈには異なる形状の第二の補助エッジ材１２を用いて組み込むようになっており、まず第一の補助エッジ材１１について説明する。
第一補助エッジ材１１は、基礎エッジ材３の外側片３ｃの内寸法に対応した寸法幅に設定されていて基礎エッジ材外側片３ｃ間に嵌入できる本体部１１ａと、該嵌入したときに先端が基礎エッジ材内側片３ｄに当接するよう本体部１１ａから突出した突片１１ｂと、同じく嵌入したときに基礎エッジ材両凸状部３ｅに底面が当接するようパネル厚方向中央部に凹設した凹状部１１ｃとを備えて構成され、第一補助エッジ材１１を基礎エッジ材３に前記当接状に嵌入した場合に、本体部１１ａは基礎エッジ材外側片３ｃと面一状になるよう寸法設定されていて正面視したときに本体部１１ａが基礎エッジ材３に隠れることになって外観性を向上している。このように本体部１１ａが基礎エッジ材３に隠れるものとしては、本体部１１ａの先端が基礎エッジ材外側片３ｃと面一に限らず、該外側片３ｃよりも低くなっていて仕切りパネル側に位置するものとしても実施することができる。
そして第一補助エッジ材１１は、前記嵌入する状態で凹状部１１ｃから螺入したビス４ｂを介して基礎エッジ材３に固定されるようになっている。
因みに、ドア上枠９に固定される第一補助エッジ材１１の長さは、左右両端部が補助エッジ材３の外側片３ｃに嵌入する寸法設定になっていて切断面が基礎エッジ材３内に入り込んで見えないように構成され、基礎エッジ材３に固定される第一補助エッジ材１１の下端縁は、このドア上枠９に固定の第一補助エッジ材１１の上面に当接するよう設定されている。
また第一補助エッジ材１１は、ドア上枠９の上面に当接した状態で凹状部１１ｃから螺入したビス４ｄを介してドア上枠９に固定されるようになっている。
【００１５】
また第二補助エッジ材１２は、凵字形をした本体部１２ａ部が、冂字形をし、ビス４ｃを介して天井部Ｈに固定される天井固定用金具１２ｄに上下方向移動自在に嵌入するものとし、本体部底面１２ｂのパネル厚方向中央部に凹状部１２ｃが形成されている。因みに、第二補助エッジ材１２も取り付け金具１６を介して基礎エッジ材３側に取り付け固定されるようになっている。
【００１６】
第一、第二補助エッジ材１１、１２の凹状部１１ｃ、１２ｃは同じ形状をしており、そこで次に、第一補助エッジ材１１の凹状部１１ｃにパネル体１０を、第一、第二取り付け金具１３、１４を用いて取り付ける構成について説明する。
【００１７】
第一取り付け金具１３は、第一補助エッジ材凹状部１１ｃの開口を蟻溝状に狭くすべく突出した一対の係止片１１ｄにそれぞれ抜け止め状に嵌入係止する第一、第二の係止脚片１３ａ、１３ｂと、パネル体１０の一側面（例えば室内面）に対向する面対向部１３ｃと、該対向面部１３ｃ側からパネル体１０を越えてパネル体１０の他面側にまで至る第三の係止脚片１３ｄとを備えて構成されている。
そして第一取り付け金具１３は、第一、第二脚片１３ａ、１３ｂを第一補助エッジ材凹状部１１ｃの開口に無理嵌め状に嵌入して係止片１１ｄに抜け止め状に係止することで第一補助エッジ材１１に組み込み固定されるようになっている。
【００１８】
一方、第二取り付け金具１４は、第一取り付け金具第三係止脚片１３ｄに抜け止め状に係止する係止脚片１４ａと、パネル体１０の他側面に対向する面対向部１４ｂとを備えて構成されている。
そして、前述したように第一取り付け金具１３を第一補助エッジ材１１に組み込んだ後、パネル体１０の一側面を第一取り付け金具面対向部１３ｃに対向するよう組み付けた状態で第二取り付け金具１４をパネル体１０の他側面側から係止脚片１４ａを第一取り付け金具第三係止脚片１３ｄに抜け止め状に組み込むことでパネル体１０の左右両縁および下縁の組込みができるようになっている。
尚、１５、１５ａは面対向部１３ｃ、１４ｂとパネル体１０とのあいだに介装されるパッキン（シール材）である。
【００１９】
一方、第二補助エッジ材１２へのパネル体１０の取り付けは、同様にして第一、第二取り付け金具１３、１４を用いて行うことになるが、パネル体１０の高さが足りず、上端縁の面対向部１３ｃ、１４ｂに対する支持ができなかったり不足であるような場合に、第二補助エッジ材１２を天井固定金具１２ｄに対して下動させることでパネル体１０の上端縁の面対向部１３ｃ、１４ｂによる確実な支持ができるようになっている。
【００２０】
叙述の如く構成された本発明の実施の形態において、仕切りパネル２は天井部Ｈにまで至る長いものとし、その先端縁２ａに同じく天井部Ｈにまで至る長い基礎エッジ材３を取り付けたものとしているが、この基礎エッジ材３は、仕切りパネル２の表裏面板２ｂに外嵌するようパネル厚方向に間隙を存して突出した一対の脚片３ｂを有していて仕切りパネル２の先端縁２ａを隠すと共に、パネル厚方向に間隙を存して出入り口１ａ側に向くよう突出した一対の外側片３ｃが、吊元側エッジ材５、戸先側エッジ材６の仕切りパネル体２側部位を内嵌して隠すうえに、ドア上枠９は、吊元側、戸先側エッジ材５、６の切断された上端縁に上側から当接する状態で両端部９ｃが基礎エッジ材両外側片３ｃ内に内嵌するようにして組み込まれる構成になるため、ドア上枠９についても切断状態となる左右両端部９ｃが基礎エッジ材外側片３ｃに隠れることになる。しかもパネル体１０の左右両側縁部を組み込むために用いられる第一補助エッジ材１１についても外側片３ｃ間に内嵌するようにして取り付けられるため、第一補助エッジ材の仕切りパネル側端縁部が直接見えることがない。
【００２１】
この結果、基礎エッジ材３が床面から天井部Ｈに至るまで連続したものとなって統一性が発揮できるうえに、この基礎エッジ材３に、吊元側エッジ材５、戸先側エッジ材６、ドア上枠９、第一補助エッジ材１１の各仕切りパネル２側端が内嵌する状態で組み込まれることとなって、これらの端縁が視認されることがなく、外観性が損なわれることがない。
【００２２】
しかもこのものでは、パネル体１０を取り付けるための第一補助エッジ材１１が基礎エッジ材３の外側片３ｃと面一状に内嵌するため、正面視したとき第一補助エッジ材１１が目視されることがなく、外観性が向上する。
【００２３】
尚、本発明は前記実施の形態に限定されるものでないことは勿論であって、ドア体としては、中心吊りではなく蝶番を介して開閉支持するものであってもよく、さらにはハンガー式折り戸式のドア体であってもよく、この場合、パネル体１０としては、ガラス板、樹脂板、格子板等、各種の薄板状の板材を採用することができるが、さらに、図９、１０に示す第二の実施の形態のように、肉厚のパネル体１８を組み込むことができる。つまりこのものでは凵字形をしたドア上枠１９に肉厚なパネル体１８の下端部を嵌入し、左右基礎エッジ材３の外側片３ｃ間に嵌入した凵字形の第三の補助エッジ材２０にパネル体１８の左右両端部を嵌入し、第二補助エッジ材１２の天井固定用金具１２ｄにパネル体１８の上端部を嵌入するようにしたもので、これらよってパネル体１８のこれら四周端部を隠すことができ、外観性が損なわれることがない。
さらに図１１、１２、１３に示す第三の実施の形態のようにドア体７側に設けたハンガーローラ７ｇが転動するハンガーレール１７がドア上枠となり、このハンガーレール１７の左右両端部が基礎エッジ材外側片３ｃ間に嵌入する設定となっており、そしてこのハンガーレール１７の上面に第一補助エッジ材１１が取付けられ、パネル体１０の下端縁が第一、第二取り付け金具１３、１４を介して取付けられることは前述したとおりである。そしてこのものでは、仕切りパネル２の床下から天井部位まで外嵌組み付けした基礎エッジ材３には、両端部が該基礎エッジ材３に嵌入するハンガーレール１７の下側に位置する状態で折り戸用の戸尻側、戸先側エッジ材２１が嵌入組み込みされ、ハンガーレール１７の上側に位置する状態でパネル体１０用である第一補助エッジ材１１が嵌入組み込みされることになる。
このように本発明が実施されたものにあっては、ドア上枠と天井部とのあいだの隙間にパネル体を組み込むにあたり、両端部が基礎エッジ材に嵌入する状態で組み付けられるドア上枠の下側には各種仕様の吊元側、戸先側エッジ材が組み付けられ、ドア上枠よりも上側にはパネル体用のエッジ材が組み付けられることになって仕切りパネル端縁部での基礎エッジ材による連続性（直線性）を発揮できながら、該基礎エッジ材を利用して各種のエッジ材を必要において組み付けることができることになる。
【産業上の利用可能性】
【００２４】
本発明は、駅や学校等の建物に建て付けられるトイレブースに利用することができる。
【符号の説明】
【００２５】
１    トイレブース
１ａ  出入り口
２    仕切りパネル
３    基礎エッジ材
３ｂ  脚片
３ｃ  外側片
５    吊元側エッジ材
６    戸先側エッジ材
７    ドア体
９    ドア上枠
１０  パネル体
１１  第一補助エッジ材
【図１】
2015034413.tif 000003
【図２】
2015034413.tif 000004
【図３】
2015034413.tif 000005
【図４】
2015034413.tif 000006
【図５】
2015034413.tif 000007
【図６】
2015034413.tif 000008
【図７】
2015034413.tif 000009
【図８】
2015034413.tif 000010
【図９】
2015034413.tif 000011
【図１０】
2015034413.tif 000012
【図１１】
2015034413.tif 000013
【図１２】
2015034413.tif 000014
【図１３】
2015034413.tif 000015